(57)【要約】      （修正有）【課題】入浴介護作業をより一層容易になし得るようにする。【解決手段】角型浴槽の短手方向に前後一組の各基体管部材１１を設け、各基体管部材の左右両端部に角型浴槽の長手方向左右の各上縁面に沿わせるべく平行屈曲させた各接続管部を形成しておく。各接続管部間を、所要長さ寸法に嵌脱自在に結合させて角型浴槽の各上縁面全域にほぼ一致する角枠状の取付け枠主体１０を構成できるようにし、該取付け枠主体の適所を浴槽壁部分へ固設する。要介護入浴者を受入れる柔軟な入浴シート部片４０を設ける。前部基体管部材１２ａに入浴シート部片の前端部側を着脱自在に保持する取付け手段１４を配し、後部基体管部材１２ｂの何れか一方の側に外部回動ハンドル２１からの操作入力でのみ作動し得る作動操作部筺体２０を立設させ、回転作動機構から取出されるシート巻取り軸に入浴シート部片の後端部側を着脱自在に係止保持する係止手段を配し、他方の側にシート巻取り軸を枢支する軸受板を設ける。【選択図】図１
0003108767.tif 000002
【実用新案登録請求の範囲】
【請求項１】
家屋に配備される角型浴槽に対し、身体動作の不自由な寝たきり老人や身体障害者等の要介護入浴者を介護入浴させるために用いる着脱自在な入浴介護設備装置であって、
前記角型浴槽における短手方向前後の各上縁面一杯に対向して沿わせるべく前後一組の各基体管部材を設け、かつ該対向する前方および後方の各基体管部材の左右両端部には、該角型浴槽における長手方向左右の各上縁面一部に沿わせるべく平行に屈曲させた前部左右と後部左右との各接続管部をそれぞれに形成しておき、これらの前部左方および後部左方の各接続管部間と前部右方および後部右方の各接続管部間とを、共に所要長さ寸法による左右一組の各結合管部材で嵌脱自在に結合させることにより、該角型浴槽の各上縁面全域にほぼ一致する角枠状の取付け枠主体を構成できるようにすると共に、該取付け枠主体の適所を浴槽壁部分へ任意に固設可能とし、
また、前記要介護入浴者を前記角型浴槽内に受入れて抱持するための比較的柔軟な入浴シート部片を設けた上で、前記前部基体管部材での左右各接続管部には、前記入浴シート部片の前端部側を着脱自在に取付け保持するための取付け手段を配し、さらに、前記後部基体管部材での左右各接続管部の何れか一方の側には、外部回動ハンドルからの操作入力によってのみ作動し得る回転作動機構を内装した作動操作部筺体を立設させ、該回転作動機構から取出されるシート巻取り軸に前記入浴シート部片の後端部側を着脱自在に係止保持するための係止手段を配し、かつ他方の側には、前記シート巻取り軸の取出し軸端を枢支する軸受板を設けてなることを特徴とする角型浴槽に対して着脱可能な入浴介護設備装置。
【請求項２】
前記前部基体管部材に配される取付け手段が、該前部基体管部材上での左右各接続管部に近付けた各部分に植設させた左右一組の各固定用取付け杆であり、かつ該左右一組の各固定用取付け杆に対しては、前記入浴シート部片の一端部左右側に突出して設けた各左右フック環を着脱自在に取付け保持し得るようにしたことを特徴とする請求項１に記載の角型浴槽に対して着脱可能な入浴介護設備装置。
【請求項３】
前記後部基体管部材の左右各接続管部間に枢支される巻取り軸に配した係止手段が、該巻取り軸上での左右各両端部分に付設させた左右一組の各押さえバネ片であり、かつ該左右一組の各押さえバネ片に対しては、前記入浴シート部片の他端部左右側に突出して設けた各左右係止帯片を着脱自在に係止保持し得るようにしたことを特徴とする請求項１または２に記載の角型浴槽に対して着脱可能な入浴介護設備装置。
【請求項４】
前記作動操作部筺体に内装する回転作動機構が、該作動操作部筺体外の操作ハンドルによって回動操作されるウォームギア軸と、該ウォームギア軸に噛合するウォームホィールギアとの組合せ構成であり、該ウォームホィールギアから前記シート巻取り軸を取出したことを特徴とする請求項１ないし３の何れか１項に記載の角型浴槽に対して着脱可能な入浴介護設備装置。
【考案の詳細な説明】
【技術分野】
【０００１】
本考案は、身体動作の不自由ないわゆる寝たきり老人や身体障害者等の要介護入浴者を介護入浴させるために用いる着脱可能な入浴介護設備装置に関し、さらに詳しくは、一般家屋に配備されている角型浴槽に対して、任意かつ着脱自在に架設装着させることで簡易に入浴介護設備を得られるようにした装置構成の改良に係るものである。
【背景技術】
【０００２】
一般に、この種の身体不自由者らの要介護入浴者の入浴に関しては、基本的に介護者、特に、有資格介護者による完全で効果的な入浴介護が必要であるものとされ、例えば、ここでの入浴介護を介護保険に頼る場合等にあっては、該入浴介護に伴う各種の要項かつ条件の法制化もまたなされているのが現況である。
【０００３】
そして、入浴介護を伴う入浴設備に適用する浴槽装置については、従来から種々様々な形態のものが広汎に提案かつ実施されており、例えば、重度の身体障害をもつ要介護入浴者のためには、該要介護入浴者が居住する家屋に対して、介護入浴用の分割可能な介護浴槽等を持ち込み、かつこれを屋内に組み立て配置することで介護入浴させるとか、あるいは介護設備付きの浴槽をそのまま車載した入浴専用の巡回車両を用い、これを該当家屋に移動した上で担架等で搬送した要介護入浴者を介護入浴させるようにするのが通常であって、比較的完成度の高いものとさえ言えるのであるが、しかし何分にも、この種の重度障害をもつ要介護入浴者のための入浴専用車両は、その設備投資額が高価につくことから、普遍的に完備されるまでに到ってはおらず、簡略化されて使い勝手がよく、安価な入浴設備の出現が待たれているところである。
【０００４】
一方、比較的軽症な身体障害をもつ要介護入浴者のためには、家屋に配備されている浴槽、特に角型浴槽を利用し、例えば、該角型浴槽に対して予め入浴介護設備を施しておくことで、意図する要介護入浴者の介護入浴を行なうようにしており、この種の比較的軽易な入浴設備についても数多くのものが既に市販されている。
【考案の開示】
【考案が解決しようとする課題】
【０００５】
しかしながら、上記従来の角型浴槽に適用する入浴介護設備においては、設備構成に電動利用による機構部門とか、水圧利用によるポンプ部門などが種々存在している場合が多く、このため、必然的に設備の構成自体が複雑化ないしは煩雑に過ぎて使い勝手が悪くなる惧れを有しており、その操作についても必ずしも容易ではなくて、所期通りの入浴介護を行なうのには必ずしも効果的で完全なものとは言い難い。また一方では、これに加えて設備自体の使用環境が極めて湿度の高い温湯雰囲気中であることから、この点でも装置構成に故障等を生じ易いなどという不都合を避けられない。
【０００６】
また、上記角型浴槽に配置される入浴介護設備の場合、該角型浴槽に対して介護設備を架設した状態のままでは、浴槽の通常使用に際しては種々の難点を生ずることがあって必ずしも好ましくはなく、このために不使用時には取り外しておくこと、つまりは角型浴槽に対して介護設備を着脱自在に構成することが望ましいのであるが、この着脱自在な構成についてもまた煩雑化し易いほか、該介護設備の構成自体が比較的大型であるため、その取扱いの不便さや、収納場所に困惑するなどの各問題点がある。
【０００７】
従って、本考案の目的は、一般住居等に配備されている角型浴槽への着脱自在な架設ならびに装置自体の不使用時の分解、組み上げが比較的容易であることを前提にして、可及的簡単かつ小型な構成であり、かつ温湯雰囲気中の使用でも故障等を生ずる惧れが全くなく、併せて、取扱い操作や取外した後の収納を比較的容易に行なうことができ、しかも、意図する要介護入浴者の入浴介護作業をより一層適切かつ良好になし得るようにしたこの種の角型浴槽に対して着脱可能な入浴介護設備装置を提供することである。
【課題を解決するための手段】
【０００８】
上記目的を達成するために、本考案に係る請求項１に記載の角型浴槽に対して着脱可能な入浴介護設備装置は、
家屋に配備される角型浴槽に対し、身体動作の不自由な寝たきり老人や身体障害者等の要介護入浴者を介護入浴させるために用いる着脱自在な入浴介護設備装置であって、
前記角型浴槽における短手方向前後の各上縁面一杯に対向して沿わせるべく前後一組の各基体管部材を設け、かつ該対向する前方および後方の各基体管部材の左右両端部には、該角型浴槽における長手方向左右の各上縁面一部に沿わせるべく平行に屈曲させた前部左右と後部左右との各接続管部をそれぞれに形成しておき、これらの前部左方および後部左方の各接続管部間と前部右方および後部右方の各接続管部間とを、共に所要長さ寸法による左右一組の各結合管部材で嵌脱自在に結合させることにより、該角型浴槽の各上縁面全域にほぼ一致する角枠状の取付け枠主体を構成できるようにすると共に、該取付け枠主体の適所を浴槽壁部分へ任意に固設可能とし、
また、前記要介護入浴者を前記角型浴槽内に受入れて抱持するための比較的柔軟な入浴シート部片を設けた上で、前記前部基体管部材での左右各接続管部には、前記入浴シート部片の前端部側を着脱自在に取付け保持するための取付け手段を配し、さらに、前記後部基体管部材での左右各接続管部の何れか一方の側には、外部回動ハンドルからの操作入力によってのみ作動し得る回転作動機構を内装した作動操作部筺体を立設させ、該回転作動機構から取出されるシート巻取り軸に前記入浴シート部片の後端部側を着脱自在に係止保持するための係止手段を配し、かつ他方の側には、前記シート巻取り軸の取出し軸端を枢支する軸受板を設けてなることを特徴としている。
【０００９】
また、本考案の請求項２に記載の角型浴槽に対して着脱可能な入浴介護設備装置は、前記請求項１の入浴介護設備装置の構成において、
前記前部基体管部材に配される取付け手段が、該前部基体管部材上での左右各接続管部に近付けた各部分に植設させた左右一組の各固定用取付け杆であり、かつ該左右一組の各固定用取付け杆に対しては、前記入浴シート部片の一端部左右側に突出して設けた各左右フック環を着脱自在に取付け保持し得るようにしたことを特徴としている。
【００１０】
また、本考案の請求項３に記載の角型浴槽に対して着脱可能な入浴介護設備装置は、前記請求項１または２の入浴介護設備装置の構成において、
前記後部基体管部材の左右各接続管部間に枢支される巻取り軸に配した係止手段が、該巻取り軸上での左右各両端部分に付設させた左右一組の各押さえバネ片であり、かつ該左右一組の各押さえバネ片に対しては、前記入浴シート部片の他端部左右側に突出して設けた各左右係止帯片を着脱自在に係止保持し得るようにしたことを特徴としている。
【００１１】
さらに、本考案の請求項４に記載の角型浴槽に対して着脱可能な入浴介護設備装置は、前記請求項１ないし３の何れか１項の入浴介護設備装置の構成において、
前記作動操作部筺体に内装する回転作動機構が、該作動操作部筺体外の操作ハンドルによって回動操作されるウォームギア軸と、該ウォームギア軸に噛合するウォームホィールギアとの組合せ構成であり、該ウォームホィールギアから前記シート巻取り軸を取出したことを特徴としている。
【考案の効果】
【００１２】
請求項１の着脱可能な入浴介護設備装置によれば、各家屋に配備されている角型浴槽を用い、かつ要介護入浴者を該角型浴槽内に受入れて抱持するための比較的柔軟な入浴シート部片を予め設けておき、前記角型浴槽に対しては、その各上縁面全域にほぼ一致して角枠状の構成物となる取付け枠主体を着脱自在に架設させ、かつこの取付け枠主体の前方基体管部材には、前記入浴シート部片の前端部側を取付け保持させると共に、該取付け枠主体の後方基体管部材に設けた回転作動機構のシート巻取り軸には、該入浴シート部片の後端部側を係止保持させて準備し、この状態で前記シート巻取り軸の巻取り作動あるいは巻戻し作動によって、要介護入浴者を受入れて支承したままの入浴シート部片の後端部側を角型浴槽内で上方あるいは下方に浮動操作させるようにしたから、意図する要介護入浴者の入浴介護を所期通り効果的で適切かつ容易に行ない得るのであり、しかも、これに合わせて、結果的には既存の角型浴槽をそのままの形態で入浴介護操作のために活用することができるのである。
【００１３】
そして、前記角型浴槽の各上縁面全域に対する取付け枠主体の架設については、これを介護入浴時と通常入浴時の別なく一括して着脱自在に固設させるようにしているため、該角型浴槽の各上縁面に取付け枠主体を固設した状態のままでの要介護入浴者の入浴介護は勿論のことであるが、健常者の入浴の場合には、一旦、入浴シート部片を取外すのみで、浴槽内への入出動作に少々注意しさえすれば容易に入浴可能であり、かつ必要に応じては取り片付けておくことができるという使用上の利便性に優れるという利点がある。
【００１４】
また、前記取付け枠主体のそれ自体は、特に、前部左右および後部左右にそれぞれ屈曲する各接続管部を形成させた前後一組の各基体管部材と、これらの前部左方および後部左方の各接続管部間と前部右方および後部右方の各接続管部間とを所要長さ寸法の左右一組の各結合管部材で嵌脱自在に結合させることにより、角型浴槽の各上縁面全域にほぼ一致する角枠状に構成してあるから、ここでの角型浴槽への着脱操作が極めて容易であり、かつこれに合わせて該取付け枠主体の分解組み立てをも極めて簡単かつ効果的に行ない得るのである。
【００１５】
さらに、前記後部基体管部材での左右各接続管部の何れか一方の側に、外部回動ハンドルからの操作入力によってのみ作動し得る回転作動機構を内装した作動操作部筺体を設けたから、この回転作動機構の操作により、例えば、入浴シート部片に受入れた要介護入浴者の下肢側だけを浴槽内に浸すなどの所要の入浴介護操作を有効かつ効果的に行ない得るのであり、しかも、該回転作動機構は外部回動ハンドルからの入力によってのみ操作可能であるから、該入浴シート部片に受入れて抱持する要介護入浴者の体重負荷などで不本意に動作してしまうような惧れはない。
【００１６】
請求項２の着脱可能な入浴介護設備装置では、前記各効果に加え、前部基体管部材の取付け手段として、この前部基体管部材上での左右各接続管部に近付けて植設させた左右一組の各固定用取付け杆を用い、これらの各固定用取付け杆に対して、要介護入浴者を受入れて抱持する入浴シート部片の一端部左右側の各左右フック環を保持させるようにしたから、該入浴シート部片の一端部側、この場合には、要介護入浴者の頭部側を支える一端部側を確実に固定して保持できると共に、これに合わせて、該入浴シート部片の着脱自在な取付けを容易になし得るのである。
【００１７】
請求項３の着脱可能な入浴介護設備装置では、前記各効果に加え、後部基体管部材の左右各接続管部間に枢支されるシート巻取り軸の係止手段として、このシート巻取り軸上での左右各両端に付設させた左右一組の各押さえバネ片を用い、これらの各押さえバネ片に対して、要介護入浴者を受入れて抱持する入浴シート部片の他端部左右側の各左右係止帯片を保持させるようにしたから、該入浴シート部片の他端部側、この場合には、要介護入浴者の足さき側を支える他端部側を確実に保持した上で、その上下昇降が可能になると共に、これに合わせて、該入浴シート部片の着脱自在な係止を容易になし得るのである。
【００１８】
請求項４の着脱可能な入浴介護設備装置では、前記各効果に加え、作動操作部筺体に内装される回転作動機構として、筺体外の操作ハンドルへの操作入力によって回転作動されるウォームギア軸と、これに噛合するウォームホィールギアとの組合せに構成してあるので、外部回動ハンドルからの操作入力によってのみ作動させ得るのであり、これによって入浴シート部片への体重負荷等による誤動作を生ずるような惧れはない。
【考案を実施するための最良の形態】
【００１９】
以下、本考案に係る角型浴槽に対して着脱可能な入浴介護設備装置の一実施形態例につき、添付図面を参照して詳細に説明する。
【００２０】
添付図面は、本考案の一実施形態を適用した角型浴槽に対して着脱可能な入浴介護設備装置の概要構成を模式的に示すもので、図１は、本実施例による入浴介護設備装置を一般的な角型浴槽に架設した状態の全体斜視図である。また、図２ａは、同上入浴介護設備装置の平面図、図２ｂは、同上入浴介護設備装置の左側面図、図３は、同上入浴介護設備装置での回転作動機構の説明図である。さらに、図４は、角型浴槽に対する要介護入浴者の基本的な入浴態様例を一点鎖線と二点鎖線とで表わす略図である。
【００２１】
これらの各図の装置構成において、本実施形態による入浴介護設備装置は、一般住居に配備される角型浴槽５０に着脱自在に架設される取付け枠主体１０を有しており、該取付け枠主体１０の構成は、先ず、角型浴槽５０の短手方向における各前後上縁面５１ａ，５１ｂの長さ寸法（角型浴槽５０の短手方向の幅寸法に該当し、ひいては短手方向の長さ寸法に該当する）一杯に対向して沿わせるべく前後一組からなる各基体管部材１１ａ．１１ｂを設けた上で、該対向する前方と後方との各基体管部材１１ａ．１１ｂの左右両端部には、角型浴槽５０の長手方向における各左右上縁面５２ａ，５２ｂの一部にそれぞれ沿わせるべく平行に屈曲させた前部左右の各接続管部１２ａ１，１２ａ２と、後部左右の各接続管部１２ｂ１，１２ｂ２とを形成する。
【００２２】
次いで、前記前部左方および後部左方の各接続管部１２ａ１，１２ｂ１間と、前部右方および後部右方の各接続管部１２ａ２，１２ｂ２間とを、共に所要長さ寸法（角型浴槽４０の長手方向の幅寸法に相応し、ひいては長手方向の長さ寸法に相応する所要長さ寸法）による左右一組からなる各結合管部材１３ａ，１３ｂをそれぞれに用いることで嵌脱自在に結合させ、これによって該角型浴槽５０の各上縁面５１ａ，５１ｂおよび５２ａ，５２ｂの全域にほぼ一致するようにした角枠状の取付け枠主体１０を構成させる。
【００２３】
ここで、前記各結合管部材１３ａ，１３ｂの嵌脱自在な結合としては、前記取付け枠主体１０の構成を比較的強力に維持する必要上、何らかの補助的な結合手段、例えば、ノッチ係合による結合手段等を併用することが望ましい。
【００２４】
一方、前記角型浴槽５０での浴槽壁部分への取付け枠主体１０の取付け固定、ここでは着脱自在な取付け固定については、その適所、この場合は、入湯箇所に用いない側であるところの右方の結合管部材１３を適当なクランプ手段３０によってクランプ結合させれば足りる。
【００２５】
また別に、前記要介護入浴者Ａを前記角型浴槽５０内に受入れて抱持するための比較的柔軟な入浴シート部片４０を設けると共に、該入浴シート部片４０での一端部側である前端部側（要介護入浴者Ａの頭部側を支承する前端部側に相当する）の左右両端部にあっては、左右の各フック環４１ａ，４１ｂをそれぞれに突出して設け、かつ他端部側である後端部側（要介護入浴者Ａの足さき側を支承する後端部側に相当する）の左右両端部にあっては、左右の各係止帯片４２ａ，４２ｂを所要長さ相当分だけそれぞれに延出して設けてある。
【００２６】
そして、前記前部基体管部材１１ａでの前部左右の各接続管部１２ａ１，１２ａ２に近付けた各部分には、前記入浴シート部片４０の各左右フック環４１ａ，４１ｂを着脱自在に取付け保持するための取付け手段として、左右一組からなる各固定用取付け杆１４ａ，１４ｂをそれぞれに植設してある。
【００２７】
また、前記後部基体管部材１１ｂでの後部左右の各接続管部１２ｂ１，１２ｂ２の何れか一方の側、ここでは後部左方の接続管部１２ｂ１には、外部回動ハンドル２１からの操作入力によってのみ作動し得る回転作動機構２２を内装した作動操作部筺体２０を立設させると共に、該回転作動機構２２から取出されるシート巻取り軸２３での左右の各端部に対して、前記入浴シート部片４０の各左右係止帯片４２ａ，４２ｂを着脱自在に係止保持するための係止手段として、左右一組からなる各押さえバネ片１５ａ，１５ｂをそれぞれに設けてあり、かつ他方の側、ここでは後部右方の接続管部１２ｂ２には、前記シート巻取り軸２３の取出し軸端を枢支する軸受板１６を設けてある。
【００２８】
而して、前記外部回動ハンドル２１からの操作入力によってのみ作動し得る回転作動機構２２の構成としては、この場合、例えば、外部回動ハンドル２１に共働して回動操作されるウォームギア軸２２ａと、該ウォームギア軸２２ａに噛合するウォームホィールギア２２ｂとの組合せであればよく、該ウォームホィールギア２２ｂから前記シート巻取り軸２３を取出したものであり、この構成では、ウォームホィールギア２２ｂ側からウォームギア軸２２ａ側への逆動が不能であるために、シート巻取り軸２３自体の回動拘束、ひいては次ぎに述べるように、前記入浴シート部片４０に要介護入浴者Ａを受入れ抱持させて入浴介護する際にあって、該要介護入浴者Ａの体重負荷にも何ら関係せずに、安全かつ安定した操作を容易になし得るのである。
【００２９】
続いて、本実施形態での作用について述べる。要介護入浴者Ａを介護入浴させるためには、先ず最初に、前記角型浴槽５０の各上縁面５１ａ，５１ｂおよび５２ａ，５２ｂの全域にほぼ一致させて前記取付け枠主体１０を架設固定して保持させた後、該取付け枠主体１０における前部側となる前部基体管部材１１ａでの各固定用取付け杆１４ａ，１４ｂに対して、前記入浴シート部片４０の各左右フック環４１ａ，４１ｂを取付け保持させた上で、後部側となるシート巻取り軸２３の各押さえバネ片１５ａ，１５ｂに対して、該入浴シート部片４０の各係止帯片４２ａ，４２ｂを巻取って係止保持させることにより、図１に見られる如く、角型浴槽５０の全上面側を覆うようにして入浴シート部片４０を容易に張架させ得るのである。また、この状態で前記作動操作部筺体２０の外部回動ハンドル２１を一方向に回動操作し、これによって、シート巻取り軸２３の各押さえバネ片１５ａ，１５ｂに係止されている各係止帯片４２ａ，４２ｂを幾分か繰り出すことで該入浴シート部片４０のそれ自体を僅かにたわめた状態でセットする。
【００３０】
次に、前記角型浴槽５０に入浴シート部片４０を幾分かたわめてセットした状態において、入浴対象者である要介護入浴者Ａを、例えば、抱え上げて前記張架されている入浴シート部片４０上に一旦移した上で、図４に一点鎖線で示す如く、該入浴シート部片４０に仰臥態様で抱持させ、このようにして所要の入浴準備を行なう。
【００３１】
従って、このように入浴準備した状態では、前記作動操作部筺体２０の外部回動ハンドル２１をさらに一方向に回動操作して、シート巻取り軸２３の各押さえバネ片１５ａ，１５ｂに巻取られている各係止帯片４２ａ，４２ｂを十分に繰り出し、これによって図４に二点鎖線で示す如く、要介護入浴者Ａの頭部側を除いた全身を温湯中に浸して所要の入浴介護操作を容易になし得るのであり、また、入浴終了後は、これとは逆に、外部回動ハンドル２１を他方向に回動操作し、これによってシート巻取り軸２３に各係止帯片４２ａ，４２ｂを再度巻取りなおせばよいものである。
【図面の簡単な説明】
【００３２】
【図１】本考案の一実施形態を適用した角型浴槽に対して着脱可能な入浴介護設備装置の概要構成を模式的に示し、角型浴槽に本装置を架設した状態の全体斜視図である。
【図２ａ】同上入浴介護設備装置の平面図である。
【図２ｂ】同上入浴介護設備装置の左側面図である。
【図３】同上入浴介護設備装置での回転作動機構の説明図である。
【図４】同上入浴介護設備装置での角型浴槽に対する要介護入浴者の基本的な入浴態様例を一点鎖線と二点鎖線とで表わす略図である。
【符号の説明】
【００３３】
１０                  取付け枠主体
１１ａ                前方の基体管部材
１１ｂ                後方の基体管部材
１２ａ１，１２ａ２    前部左右の各接続管部
１２ｂ１，１２ｂ２    後部左右の各接続管部
１３ａ，１３ｂ        左右の各結合管部材
１４ａ，１４ｂ        左右の各固定用取付け杆（取付け手段）
１５ａ，１５ｂ        左右の各押さえバネ片（係止手段）
１６                  軸受板
２０                  作動操作部筺体
２１                  外部回動ハンドル
２２                  回転作動機構
２２ａ                ウォームギア軸
２２ｂ                ウォームホィールギア
２３                  シート巻取り軸
３０                  クランプ手段
４０                  入浴シート部片
４１ａ，４１ｂ        左右の各フック環
４２ａ，４２ｂ        左右の各係止帯片
５０                  角型浴槽
５１ａ，５１ｂ        角型浴槽の短手方向における各前後上縁面
５２ａ，５２ｂ        角型浴槽の長手方向における各左右上縁面
Ａ                    要介護入浴者
【図１】
0003108767.tif 000003
【図２ａ】
0003108767.tif 000004
【図２ｂ】
0003108767.tif 000005
【図３】
0003108767.tif 000006
【図４】
0003108767.tif 000007